(57)【要約】【課題】            タグ毎に監視状態のオン、オフを行うことができ、電源供給が途絶えた時に警報を発報する盗難防止装置を提供する。【解決手段】        商品１に装着するセンサーをなす複数のタグ２と、タグ２を接続ケーブル３を介して接続する監視装置４とからなり、監視装置４は、マイクロコンピュータ１２と、各タグ２を接続する複数のポート１３を有するセンサー入力回路１４と、警報を発報する警報発報回路１５とを備え、マイクロコンピュータ１２が起動時におけるセンサー入力回路１４の各ポート１３におけるタグ２の装着の有無または状態を記憶し、タグ２が非装着または非監視状態であるポート１３を停止状態として記憶し、タグ２が装着された、または監視可能状態であるポートをセンサー入力回路１４から入力する信号を受けて監視状態に設定し、タグ２の異常時にセンサー入力回路１４から入力する信号を受けて警報発報回路１５を駆動する。【選択図】          図２
2005222179.tif 000002
【特許請求の範囲】
【請求項１】
商品に装着するセンサーをなす複数のタグと、タグを接続ケーブルを介して接続する監視装置とからなり、監視装置は、制御部をなすマイクロコンピュータと、各タグを接続する複数のポートを有するセンサー入力回路と、警報を発報する警報発報回路とを備え、
制御部は、起動時におけるセンサー入力回路の各ポートにおけるタグの装着の有無および状態を記憶し、タグが非装着または非監視状態であるポートを停止状態として記憶し、タグが装着された、または監視可能状態であるポートをセンサー入力回路から入力する信号を受けて監視状態に設定し、タグの異常時にセンサー入力回路から入力する信号を受けて警報発報回路を駆動することを特徴とする盗難防止装置。
【請求項２】
監視装置が外部電源と内蔵した電池からなる内部電源とを有し、制御部に制御信号を入力する制御信号入力回路を備え、制御部は制御信号入力回路からリセット信号を受けた時にスリープ状態となり、スリープ状態で外部電源がオフとなった時におけるセンサー入力回路の各ポートにおけるタグの装着の有無および状態を記憶し、外部電源オフのスリープ状態から外部電源オンの動作状態への再起動時に、タグを装着したセンサー入力回路から入力する信号を受けてセンサー入力回路の各ポートにおけるタグの装着の有無および状態をチェックし、スリープ開始時に記憶したセンサー入力回路の各ポートにおけるタグの装着の有無および状態と異なる時に警報発報回路を駆動することを特徴とする請求項１に記載の盗難防止装置。
【請求項３】
監視装置が外部電源と内蔵した電池からなる内部電源とを有するとともに、監視装置に電源チェック回路を有し、電源チェック回路は外部電源もしくは内部電源の供給をチェックし、外部電源もしくは内部電源の不良時に制御部に異常信号を発し、制御部は電源チェック回路から入力する異常信号を受けて警報発報回路を駆動することを特徴とする請求項１又は２に記載の盗難防止装置。
【発明の詳細な説明】
【技術分野】
【０００１】
本発明は盗難防止装置に関し、展示商品等に取り付けて使用し、センサの変化を検出して警報・通報する技術に係るものである。
【背景技術】
【０００２】
従来の盗難防止装置には商品に取り付けたタグをケーブルを介して監視装置に繋留するものがあり、システム全体の制御装置である親機の監視装置に盗難を監視する複数の子機をケーブルで縦続的に接続している。そして、図５に示すように、商品に装着したタグ５１を接続ケーブル５２によって各子機の監視装置５３に電気的に接続しており、親機は制御回路、警報手段等を備えており、盗難があった場合に制御回路によって警報手段を動作させる。
【特許文献１】特開平１１−３３９１４０号公報
【発明の開示】
【発明が解決しようとする課題】
【０００３】
ところで、盗難によって警報が発報した際に、その警報を停止させるために、店員が監視装置にて警報停止の操作を行うと何れのタグ５１も監視状態が解除される。このため、再度監視状態に復帰させるまでの間、全ての商品が無防備になる。また、親機から全ての子機に電源を供給しているために親機への屋内用電源からの電源供給を絶つと全ての子機への電源の供給が絶たれ、無監視状態となって全ての商品が無防備になる事態を招く。
【０００４】
本発明はタグ毎に監視状態のオン、オフを行うことができ、電源供給が途絶えた時に警報を発報する盗難防止装置を提供することを目的とする。
【課題を解決するための手段】
【０００５】
上記課題を解決するために、請求項１に記載する本発明の盗難防止装置は、商品に装着するセンサーをなす複数のタグと、タグを接続ケーブルを介して接続する監視装置とからなり、監視装置は、制御部をなすマイクロコンピュータと、各タグを接続する複数のポートを有するセンサー入力回路と、警報を発報する警報発報回路とを備え、制御部は、起動時におけるセンサー入力回路の各ポートにおけるタグの装着の有無および状態を記憶し、タグが非装着または非監視状態であるポートを停止状態として記憶し、タグが装着された、または監視可能状態であるポートをセンサー入力回路から入力する信号を受けて監視状態に設定し、タグの異常時にセンサー入力回路から入力する信号を受けて警報発報回路を駆動するものである。
【０００６】
請求項２に記載する本発明の盗難防止装置は、監視装置が外部電源と内蔵した電池からなる内部電源とを有し、制御部に制御信号を入力する制御信号入力回路を備え、制御部は制御信号入力回路からリセット信号を受けた時にスリープ状態となり、スリープ状態で外部電源がオフとなった時におけるセンサー入力回路の各ポートにおけるタグの装着の有無および状態を記憶し、外部電源オフのスリープ状態から外部電源オンの動作状態への再起動時に、タグを装着したセンサー入力回路から入力する信号を受けてセンサー入力回路の各ポートにおけるタグの装着の有無および状態をチェックし、スリープ開始時に記憶したセンサー入力回路の各ポートにおけるタグの装着の有無および状態と異なる時に警報発報回路を駆動するものである。
【０００７】
請求項３に記載する本発明の盗難防止装置は、監視装置が外部電源と内蔵した電池からなる内部電源とを有するとともに、監視装置に電源チェック回路を有し、電源チェック回路は外部電源もしくは内部電源の供給をチェックし、外部電源もしくは内部電源の不良時に制御部に異常信号を発し、制御部は電源チェック回路から入力する異常信号を受けて警報発報回路を駆動するものである。
【発明の効果】
【０００８】
以上のように本発明によれば、制御部が起動時におけるセンサー入力回路の各ポートにおけるタグの装着の有無および状態を記憶し、タグが非装着または非監視状態であるポートを停止状態として記憶し、タグが装着された、または監視可能状態であるポートをセンサー入力回路から入力する信号を受けて監視状態に設定することで、ポート毎に監視、非監視状態の設定を行うことができる。監視装置が外部電源オフのスリープ状態において生じるタグの異常を監視装置の再起動時に検出して警報を発するので、夜間等においてタグが何らかの理由で商品から外れた状態となったことを発見できる。電源チェック回路が外部電源もしくは内部電源の供給をチェックすることで、不法行為による外部電源遮断が生じた時に警報を発することができ、内部電源の電池の寿命を認知することができる。
【発明を実施するための最良の形態】
【０００９】
以下、本発明の実施の形態を図面に基づいて説明する。図１〜図３に示すように、盗難防止装置は、種々の商品１に装着するセンサーをなす複数のタグ２と、各タグ２を接続ケーブル３を介して接続する監視装置（コントローラ）４とからなる。
【００１０】
監視装置４は、主電源をなす外部電源に接続するＡＣアダプター５の接続口としての主電源入力口６と、複数台を連結するための連結ケーブル７を挿入する外部入力口８ａおよび外部出力口８ｂと着脱可能に設けた警報ランプ部９とを有し、連結したいずれかの監視装置４の外部入力口８ａにリモートレシーバー１０を接続している。連結ケーブル７は電力および制御信号を中継するものであり、リモートレシーバー１０は操作器１１から制御信号を受ける取るものである。
【００１１】
本実施の形態では監視装置４を複数台連結し、リモートレシーバー１０を接続した構成で説明するが、監視装置４は単独での使用が可能であり、リモートレシーバー１０は必ずしも必要ではない。
【００１２】
監視装置４は、内部に制御部をなすマイクロコンピュータ１２と、各タグ２の接続ケーブル３を接続する複数のポート１３を有するセンサー入力回路１４と、警報ランプ部９のランプを点灯し、あるいはブザーを鳴動させて警報を発報する警報発報回路１５と、マイクロコンピュータ１２に制御信号を入力する制御信号入力回路１６と、内部電源としての電池１７および電池１７の電圧を測定して寿命をチェックする電池電源チェック回路１８と、外部電源の電圧を測定して接続状態をチェックする電源チェック回路１９を有している。また、リモート信号入力口８ａおよびリモート信号出力口８ｂを備えており、リモート信号入力口８ａおよびリモート信号出力口８ｂはそれぞれ外部入力口８ａおよび外部出力口８ｂと同じコネクター配置するので同番号を付与する。センサー入力回路１４の各ポート１３にはそれぞれＬＥＤ２０を設けている。
【００１３】
以下、上記した構成における作用を説明する。ＡＣアダプター５を通して何れかの監視装置４に接続した外部電源は連結ケーブル７を介して各監視装置４に導通している。電源チェック回路１９および電池電源チェック回路１８は外部電源もしくは内部電源の供給をチェックしており、外部電源もしくは内部電源の不良時にマイクロコンピュータ１２へ異常信号を発する。
【００１４】
マイクロコンピュータ１２は電源チェック回路１９から入力する異常信号を受けて警報発報回路１５を駆動し、外部電源遮断時にはブザーを鳴動させてアラームを発し、不法行為による外部電源遮断が生じたことの警報を発報する。また、マイクロコンピュータ１２は起動時および所定の自動電池電圧チェック時に電池電源チェック回路１８から入力する異常信号を受けて警報発報回路１５を駆動し、電池電圧低下時にはブザーを鳴動させてアラームを発し、電池電圧が低下したことの警報を発報し、所定回数、例えば１０回の起動時および自動電池電圧チェック時の毎回に警報を発しても電池１７の交換が行われない場合にはブザーを鳴動させてアラームを発し、警報ランプ部９を赤、赤、緑の順で点滅させる。
【００１５】
各監視装置４が正常に動作する状態において、ポート１３のいずれかに監視可能状態のタグ２の接続ケーブル３を装着している監視装置４は監視状態となって警報ランプ部９の緑色灯が点灯し、ポート１３のいずれにもタグ２の接続ケーブル３を装着していない場合、または監視可能状態でないタグの接続ケーブル３が接続されている監視装置４は監視状態とはならずに警報ランプ部９が非点灯となる。
【００１６】
各監視装置４のマイクロコンピュータ１２は、起動時におけるセンサー入力回路１４の各ポート１３におけるタグ２の装着の有無を記憶しており、タグ２が非装着または非監視状態であるポート１３を停止状態として記憶する。マイクロコンピュータ１２は、監視状態となっていない監視装置４のポート１３に監視可能状態のタグ２の接続ケーブル３を接続すると、タグ２の装着によってセンサー入力回路１４から入力する信号、例えばオン信号を受けて当該ポート１３を監視状態に設定し、警報ランプ部９の緑色灯を点灯させるとともに当該ポート１３のＬＥＤ２０を所定時間点滅させる。制御信号入力回路１６へ操作器１１からセット信号を入力すると、マイクロコンピュータ１２は監視状態のポート１３に接続したタグ２の異常の有無を確認する。
【００１７】
不法行為によってタグ２が商品１から離されたり、接続ケーブル３が切断されたりすると、マイクロコンピュータ１２はセンサー入力回路１４の当該タグ２を接続したポート１３から入力する信号、例えばオフ信号を受けて警報発報回路１５を駆動して当該監視装置４における警報ランプ部９の赤色灯を点滅させるとともに、ブザーを鳴動させてアラームを発し、当該ポート１３のＬＥＤ２０を点灯させて不法行為が発生したことの警報を発報する。
【００１８】
操作器１１からリセット信号を監視装置４のセンサー入力回路１４に入力すると、図４に示すように、マイクロコンピュータ１２はセンサー入力回路１４の当該ポート１３の監視を停止し、警報ランプ部９の緑色灯を点滅させてアラームを停止させ、異常なポート１３のＬＥＤ２０の点滅（赤色）を継続する。
【００１９】
このとき、監視を停止したポート１３を除く他の監視状態のポート１３はセンサー入力回路１４から信号、例えばオン信号の入力があるので監視状態を継続する。異常なポート１３のタグ２を装着した商品１を確認し、タグ２を正常な状態に戻すと、センサー入力回路１４から入力するオン信号を受けて当該ポート１３が監視状態に復帰する。したがって、タグ２のそれぞれ毎に監視状態のオン、オフを行うことができる。
【００２０】
リセット信号の入力は、リモートレシーバー１０に対して行ってもよく、この場合にリセット信号は各監視装置４および連結ケーブル７を介して該当する監視装置４に到達する。このため、不法行為が発生した監視装置４まで行かなくてもアラームを停止でき、操作性が向上する。
【００２１】
商品１の販売時等には全てのポート１３が監視状態である時に当該監視装置４にリセット信号を入力する。リセット信号を受けた監視装置４は監視状態を一時停止し、警報ランプ部９を一定時間（数秒間）にわたって消灯する。この一時停止中にタグ２の接続ケーブル３をポート１３から引抜くとアラームは発生しない。
【００２２】
夜間の閉店時等において電源を遮断する場合には、全ての監視装置４においてアラームが発生していない状態で、リモートレシーバー１０にリセット信号を入力する。全ての監視装置４はスリープ状態となり、警報ランプ部９の黄色灯が点滅する。この状態で外部電源を遮断するとアラームはならず、内部電源で作動するマイクロコンピュータ１２は、スリープ状態で外部電源がオフとなった時におけるセンサー入力回路１４の各ポート１３におけるタグ２の装着の有無または状態を記憶する。
【００２３】
再び監視装置４を外部電源に接続すると、マイクロコンピュータ１２は、外部電源オフのスリープ状態から外部電源オンの動作状態への再起動時に、タグ２を装着したセンサー入力回路１４から入力する信号、例えばオン信号を受けてセンサー入力回路１４の各ポート１３におけるタグ２の装着の有無または状態をチェックし、外部電源オフ時に記憶したセンサー入力回路１４の各ポート１３におけるタグ２の装着の有無または状態と異なる時に警報発報回路１５を駆動するものである。
【００２４】
このため、夜間等においてタグ２が何らかの理由で商品１から外れた状態となったことを発見でき、起動時にタグ２が監視可能状態にない場合に当該ポート１３にタグ２が接続されていないと判断する誤作動を防止できる。設置変更等のために監視装置４を停止させる場合はスリープ状態において重ねてリセット信号を入力する。
【図面の簡単な説明】
【００２５】
【図１】本発明の実施の形態における盗難防止装置の全体構成を示す斜視図
【図２】同盗難防止装置における監視装置の構成を示すブロック図
【図３】同監視装置のセンサー入力回路を示す具体例の回路図
【図４】同監視装置の動作を説明する模式図
【図５】従来の盗難防止装置の構成を示す模式図
【符号の説明】
【００２６】
１    商品
２    タグ
３    接続ケーブル
４    監視装置
５    ＡＣアダプター
６    主電源入力口
７    連結ケーブル
８ａ  外部入力口
８ｂ  外部出力口
９    警報ランプ部
１０    リモートレシーバー
１１    操作器
１２    マイクロコンピュータ
１３    ポート
１４    センサー入力回路
１５    警報発報回路
１６    制御信号入力回路
１７    電池
１８    電池電源チェック回路
１９    電源チェック回路
２０    ＬＥＤ
【図１】
2005222179.tif 000003
【図２】
2005222179.tif 000004
【図３】
2005222179.tif 000005
【図４】
2005222179.tif 000006
【図５】
2005222179.tif 000007